(57)【要約】【課題】本発明は、化学肥料に代えて牛、豚および鶏などの家畜の糞尿や生ゴミの堆肥化処理による肥料を配合した植生基材を提供することを目的とするものである。【解決手段】本発明の植生基材は、牛糞、鶏糞、豚糞、草木および生ゴミの一種以上を発酵処理により堆肥化した肥料と、腐葉土による土壌改良材と、保水材とから配合される。【選択図】        図１
2004159538.tif 000002
【特許請求の範囲】
【請求項１】
牛糞、鶏糞、豚糞および生ゴミの一種以上を発酵処理により堆肥化した肥料と、
腐葉土による土壌改良材と、
保水材とから成る
ことを特徴とする植生基材。
【請求項２】
黒土を配合した
ことを特徴とする請求項１記載の植生基材。
【請求項３】
竹炭を配合した
ことを特徴とする請求項１又は２記載の植生基材。
【発明の詳細な説明】
【０００１】
【発明の属する技術分野】
本発明は植生基材に関する。詳しくは法面の緑化を図るための植生基材に係るものである。
【０００２】
【従来の技術】
従来から河川の堤防の法面や開発のために樹木が伐採された山の法面の景観を向上させる目的で緑化すべき法面に添って植生基材を吹き付ける、あるいは敷設して、その植生基材に種子と肥料とを加えて緑化することが行われている。
【０００３】
この法面の緑化工法の一つに網状体に、植生種子や遅効性の肥料、その他炭酸カルシウムや消石灰などの植生基材を適宜収容した植生基材袋を、緯糸方向ならびに経糸方向で所定間隔置きに袋係止部材で装着させて、この緑化用植生基体を法面に張設し、その上から植生種子、肥料、有機質材料を主体にした植生材料を吹き付けた工法が知られている（例えば、特許文献１参照。）。
【０００４】
【特許文献１】
特開平５−１４８８４８号公報（第２頁
【従来の技術】参照）
【０００５】
【発明が解決しようとする課題】
ここで、植生基材の構成要素である肥料には化学肥料が使用され、肥料以外の植生基材が法面に添って敷設された後に、種子と化学肥料とを吹き付けることにより前記植生基材に加えられるものである。
【０００６】
しかしながら化学肥料は水に一般的に溶け易く、予め化学肥料以外の植生基材としての保水材や土壌改良材とを配合した場合には、時間の経過と共に保水材や土壌改良材に含まれる水に溶けて効果が薄れ、実際に法面に使用する場合には再び化学肥料を吹き付けなければならない問題がある。
【０００７】
また、河川の堤防の法面では雨などによって化学肥料が水に溶けて河川に流れ込み、汚染の原因となる問題がある。
【０００８】
一方、牛、豚および鶏などの家畜の糞尿や生ゴミの処理として、堆肥化処理が着目されている。この堆肥化処理は、発酵槽において発酵菌を加えて撹拌し、高温発酵による一次発酵および二次発酵を経て、肥料化するものである。
【０００９】
しかし牛、豚および鶏などの家畜の糞尿や生ゴミの堆肥化処理は、まだ初期の段階であり、これから普及するにつれて、それに伴ない肥料が生産過剰となる恐れがある。しかしその反面農作物には化学肥料を使用する場合が多く、堆肥化処理した肥料の活用化の問題が生じている。
【００１０】
本発明は、以上の点に鑑みて創案されたものであって、化学肥料に代えて牛、豚および鶏などの家畜の糞尿や生ゴミの堆肥化処理による肥料を配合した植生基材を提供することを目的とするものである。
【００１１】
【課題を解決するための手段】
上記の目的を達成するために、本発明に係る植生基材は、牛糞、鶏糞、豚糞、草木および生ゴミの一種以上を発酵処理により堆肥化した肥料と、腐葉土による土壌改良材と、保水材とから成る。
【００１２】
ここで、家畜舎から排出される牛糞、鶏糞、豚糞や生ゴミを高温発酵により堆肥化した肥料を、化学肥料に代えて土壌改良材および保水材とを配合することによって、水に溶けることがなく、土壌に馴染むために地球環境に適した植生基材となる。
【００１３】
【発明の実施の形態】
以下、本発明の実施の形態を図面を参酌しながら説明し、本発明の理解に供する。
【００１４】
本発明に適用する肥料は、牛糞、鶏糞、豚糞および生ゴミの一種以上を発酵槽において高温発酵菌を添加混合し、２０日間の堆積一次発酵を行う。そしてロータリー撹拌による二次発酵を３０日間行い堆肥化処理を行うものである。
【００１５】
また、本発明を適用した土壌改良材は、草を選別・裁断して混合させて堆積させることで自然発酵による腐葉土を得ることができる。
【００１６】
本発明を適用した保水材は、水分を吸収して保水効果の優れた有機系のパーライト又はピートモスを使用する。
【００１７】
実施例１
土壌改良材を４５〜６０重量％、黒土を３０〜４０重量％、保水材としてパーライトを５〜１０重量％、肥料を５〜２０重量％および淨化作用を有する竹炭を５重量％の範囲で配合する。
【００１８】
実施例２
土壌改良材を６０〜７０重量％、保水材としてパーライトを５〜１０重量％およびピートモスを１０重量％、肥料を１０〜２０重量％並びに淨化作用を有する竹炭を５重量％の範囲で配合する。
【００１９】
実施例３
土壌改良材を７０重量％、保水材としてパーライトを３〜５重量％およびピートモスを５重量％、肥料を１５〜２５重量％並びに淨化作用を有する竹炭を５重量％の範囲で配合する。
【００２０】
ここで、法面に対して本発明の植生基材と種子との吹き付けを行うものであり、この法面に緑化に活用される種子としては、グリーピングレッドフェスク、ハイランドベントグラス等の牧草種子、又は黄デージー、フランス菊、大錦鶏菊などの花植物種子、あるいはよもぎ、すすき、めどはぎ等の野草種子、更にはあかまつ、やしゃぶし、いたちはぎ等の樹木種子が選択される。
【００２１】
そこで本発明を適用した植生基材による法面の緑化作業を行う場合には図１に示すように、緑化すべき法面１に添って実施例１〜３のいずれかに示す植生基材２に対して選択した種子を加えて混合し、更に水を加えて撹拌したゲル状とした状態で吹付機械によって吹付けるものである。
【００２２】
ここで、緑化すべき法面の土壌の栄養分が比較的に少ない場合には、黒土が配合された実施例１における植生基材が適しており、法面に対して吹付厚を１〜５ｃｍの範囲内で吹付けることにより種子の根が黒土を介して法面に蔓延ることにより、立ち枯れを防ぐことが可能となる。
【００２３】
また、砂礫や岩盤の多い法面に対しては、パーライトおよびピートモスの保水材が多目に配合された実施例２における植生基材が適しており、法面に対して吹付厚を３〜１０ｃｍの範囲内で吹付けることにより種子が発芽して生育するために必要な水分が確保されることとなる。
【００２４】
また、比較的に土壌の安定した法面に対しては、土壌改良材と肥料の割合を多目に配合された実施例３における植生基材が適しており、法面に対して吹付厚を１〜３ｃｍの範囲内で吹付けることにより法面の土壌に直に馴染んだ状態での種子の生育が確保されることとなる。
【００２５】
本発明を適用した牛糞、鶏糞、豚糞および生ゴミの一種以上を発酵させて堆肥化した肥料を配合することにより、化学肥料のように水分によって溶出することがなく、予め土壌改良材、黒土および保水材と混合することが可能となる。
【００２６】
なお、植生基材は必ずしも法面に吹付ける必要性は無く、例えば網状袋内に収納して法面に対して敷設するなどの植生基体として活用される場合もある。
【００２７】
【発明の効果】
以上述べて来た如く本発明によれば、化学肥料に代えて牛糞、鶏糞、豚糞および生ゴミの一種以上を発酵させて堆肥化した肥料を配合することにより、予め土壌改良材、黒土および保水材とを混合した植生基材の生産が可能となる。
【００２８】
また、既存の法面および河川工事や道路工事における法面での緑化が通常化されており、一方、畜舎からの蓄糞や一般生ゴミの処理としての堆肥化処理とを組み合わせることにより、経済的かつ地球環境に適した植生基材の生産が可能となる。
【図面の簡単な説明】
【図１】本発明を適用した植生基材の使用状態を示す説明図である。
【符号の説明】
１      法面
２      植生基材
【図１】
2004159538.tif 000003